(57)【要約】【課題】カメラ及びフラッシュライト等の光源を備えた携帯電話機などの携帯機器において、光源の光が被写体に対して充分機能した携帯機器を得る。【解決手段】カメラのレンズを交換すると同時にフラッシュライトのレンズも、交換されるカメラのレンズの屈折率に対応した屈折率のレンズに交換できるように、屈折率がそれぞれ異なる複数のカメラ用レンズが、一列に配置されると共に、屈折率がそれぞれ各カメラ用レンズの屈折率に対応している複数のフラッシュライト用レンズが、カメラ用レンズの配置に対してカメラとフラッシュライトとの間隔と同間隔で、かつ、屈折率が対応しているレンズ同士が対になって一列に配置されている長方形プレート１１を設け、長方形プレート１１をスライドさせレンズを選択する。フラッシュライトは常時点灯の照明型ライトでもよい。【選択図】        図２
2004333736.tif 000002
【特許請求の範囲】
【請求項１】
被写体画像を撮像部に導光するカメラレンズと、光源の光を上記被写体へ投光するライトレンズとを有する携帯機器であって、選択的に撮像位置に位置決めされる屈折率の異なる複数のカメラレンズと、選択的に投光位置に位置決めされる屈折率の異なる複数のライトレンズとを備え、上記複数のカメラレンズが選択的に撮像位置に位置決めされる操作に連動して上記複数のライトレンズが選択的に投光位置に位置決めされることを特徴とする携帯機器。
【請求項２】
上記複数のカメラレンズは、各々の屈折率に応じて撮像部との距離が異なる撮像位置に位置決めされることを特徴とする請求項１記載の携帯機器。
【請求項３】
一対のカメラレンズ及びライトレンズが複数組平行又は一直線上にプレートに配置されてなり、配置方向にプレートをスライド操作することによりカメラレンズ及びライトレンズが位置決めされることを特徴とする請求項１記載の携帯機器。
【請求項４】
一対のカメラレンズ及びライトレンズが複数組同一円周上又は同心円周上にプレートに配置されてなり、円周方向にプレートを回動操作することによりカメラレンズ及びライトレンズが位置決めされることを特徴とする請求項１記載の携帯機器。
【発明の詳細な説明】
【０００１】
【発明の属する技術分野】
この発明はカメラと、フラッシュライトや撮影時に常時点灯する照明型ライト、即ち光源とを備えた携帯電話機などの携帯機器に関し、特にカメラのレンズ交換を行うと同時に光源の光を被写体に投光するレンズ（ライトレンズと称することにする）を、交換されるカメラのレンズの屈折率に対応した屈折率のレンズに交換するようにした携帯機器に関するものである。
【０００２】
【従来の技術】
従来のカメラ付携帯電話機においては、カメラ付携帯電話機の対物レンズの前に左右または上下にスライドする可動式レンズを設けている。可動式レンズが対物レンズの前にあるときは全体としての対物レンズの焦点距離が短くなり、話者の眼を撮影するモードとなる。また、可動式レンズを対物レンズの前からはずすと一般の撮影モードとなる。また、可動式レンズはスライド方式を採っているが回転方式でもよいしドアー開き方式でも良いし着脱方式でも良い。（例えば特許文献１参照）
【０００３】
【特許文献１】
特開２００１−３３３１７１号公報（２頁左欄第４８行−２頁右欄第６行、図１）
【０００４】
【発明が解決しようとする課題】
従来の携帯機器であるカメラ付携帯電話機は、上記のように構成され光源が装着されていないから、暗い所では良好な撮影結果が得られないという問題があった。
この発明は上記のような問題点を解決するためになされたもので、光源を装着すると共に、カメラのレンズ交換を行うと同時にライトレンズを、交換されるカメラのレンズの屈折率に対応した屈折率のレンズに交換するようにすることにより、暗い場所で撮影する時、光源の光が届かない場合や一部分にしか当たらず、周りが暗くなってしまうといった光源が充分機能していないといったことがない携帯機器を得ることを目的とする。
【０００５】
【課題を解決するための手段】
この発明に係る携帯機器は、被写体画像を撮像部に導光するカメラレンズと、光源の光を被写体へ投光するライトレンズとを有する携帯機器であって、選択的に撮像位置に位置決めされる屈折率の異なる複数のカメラレンズと、選択的に投光位置に位置決めされる屈折率の異なる複数のライトレンズとを備え、複数のカメラレンズが選択的に撮像位置に位置決めされる操作に連動して複数のライトレンズが選択的に投光位置に位置決めされるものである。
【０００６】
【発明の実施の形態】
実施の形態１．
図１は実施の形態１による携帯電話機の正面からの斜視図、図２は実施の形態１による携帯電話機の背面からの斜視図、図３は図２のＡ−Ａ線による断面図、図４は図２のＢ−Ｂ線による断面図、図５はプレートの他の例を説明する説明図である。
以下実施の形態１は、光源がフラッシュライトの場合について説明する。
プレート１１は、携帯電話機１に対してＣ方向にスライドできるように構成されている。すなわち、プレート１１は、携帯電話機１の側面に設けられた溝８に挿入してスライドできる構造となっている。プレート１１には図３に示すように、カメラ用交換レンズである標準レンズ２，望遠レンズ３及び広角レンズ４が、スライド方向Ｃと同一方向に一列に配置されている。また、プレート１１には、カメラ用交換レンズと平行に一列にフラッシュライト用レンズ１２，１３，１４が配置されている。フラッシュライト９は、カメラ５の下側に所定の距離隔てて設けられている。従って、プレート１１上のフラッシュライト用レンズ１２，１３，１４は、カメラ５とフラッシュライト９との距離に合わせてカメラ用交換レンズ２，３，４との間隔が決められていると共に、それぞれレンズ２，３，４と対になって下側に配置されている。なお、Ｃ方向はカメラ５及びフラッシュライト９のそれぞれの中心を結ぶ線に直交する方向になる。
【０００７】
なお、フラッシュライト用のレンズ１２，  １３，  １４は、カメラ用レンズに合わせて屈折率が調整されている。即ち、望遠レンズ３を使用時にはフラッシュライト光も遠くまで届くように、フラッシュライト用レンズ１３は、望遠レンズ３に合わせて屈折率が調整されている。広角レンズ４を使用時にはフラッシュライト光は広がるように、フラッシュライト用レンズ１４は、広角レンズ４に合わせて屈折率が調整されている。また、標準レンズ２を使用時にはフラッシュライト光は標準レンズに合わせて届くように、フラッシュライト用レンズ１２は、標準レンズ２に合わせて屈折率が調整されている。
撮影をおこなうときは、カメラ５に対して、利用者がプレート１１を横方向（Ｃ方向）にスライドさせ希望のレンズ２，３，４を選択する。プレート１１の固定方法は、携帯電話機１に開けられた穴６とプレート１１にある凸部７が一致する事で位置決めされる。即ち、カメラ用レンズ２，３又は４はカメラ５の撮像位置に位置決めされる、フラッシュライト用レンズ１２，１３又は１４はフラッシュライト９の投光位置に位置決めされる。位置決め後携帯電話機１にある表示部１７をみながらシャッター１６を押す事で、フラッシュライトも発光し撮影完了となる。
なお、図３において、撮像部とカメラ用レンズとの距離Ｅは使用するレンズによって異なる。ここで撮像部は、カメラ用レンズによって被写体画像が導光される部位のことである。
また、図３ではフラッシュライト９は、カメラ５に隠れているので図示されていない。
次に、プレート１１のスライド方向はＣ方向と直交する方向、即ちカメラ５とフラッシュライト９とを結ぶ線の方向でもよく、この場合は、カメラ用レンズ２，３，４及びフラッシュライト用レンズ１２，１３，１４は、図５に示すように一直線上に配置される。
【０００８】
実施の形態２．
図６は実施の形態２による携帯電話機の背面からの斜視図、図７は図６のＤ−Ｄ線による断面図、図８はプレートの他の例を説明する説明図である。
実施の形態１は、長方形のプレート１１にカメラ用交換レンズ及びフラッシュライト用レンズをそれぞれ一列に配置し、プレート１１を横方向（Ｃ方向）にスライドさせ希望のレンズを選択するものであったが、実施の形態２は、円形のプレート１１ａにカメラ用交換レンズ及びフラッシュライト用レンズを配置し、プレート１１ａを回動させ希望のレンズを選択するものである。なお、実施の形態２も光源がフラッシュライトの場合について説明する。
フラッシュライト９はカメラ５の対称位置に取り付けられている。プレート１１ａには、標準レンズ２と望遠レンズ３が取りつけられ、フラッシュライト用レンズ１２，１３が、円形のプレート１１ａの中心で対称に取りつけられている。フラッシュライト用レンズ１２，  １３は、カメラ用レンズに合わせて屈折率が調整されている。この点は実施の形態１と同様である。なお、標準レンズ２とフラッシュライト用レンズ１２とでレンズ群が構成され、望遠レンズ３とフラッシュライト用レンズ１３とでレンズ群が構成され、各レンズ群では屈折率が異なっている。
【０００９】
また、プレート１１ａは、携帯電話機１の側面に設けられた溝８に挿入し、ピン１０にて固定されている。プレート１１ａはピン１０を中心に回動する構造となっている。ピン１０はカメラ５とフラッシュライト９との間隔の中心位置に設けられている。
なお、プレート１１ａに取り付くカメラ用交換レンズは、望遠レンズ３以外でも可であり、フラッシュライト用レンズもそれに対応したものとなる。
撮影をおこなうときは、カメラ５に対して、利用者がプレート１１ａを回動させる事で希望とするレンズ２，３，を選択する。プレート１１ａの回動方向の固定方法は、携帯電話機１に開けられた穴６とプレート１１ａにある凸部７が一致する事で位置決めされる。即ち、カメラ用レンズ２又は３はカメラ５の撮像位置に位置決めされる、フラッシュライト用レンズ１２又は１３はフラッシュライト９の投光位置に位置決めされる。
位置決め後携帯電話機１にある表示部１７をみながらシャッター１６を押す事で、フラッシュライトも発光し撮影完了となる。
なお、図７ではピン１０の位置がカメラ５とフラッシュライト９との中心にあり、レンズ２，３とレンズ１２，１３は同一円周上に配置されているが、ピン１０の位置はカメラ５とフラッシュライト９との中心になくてもよく、この場合はレンズ２，３とレンズ１２，１３とは同心円周上に配置される。
また、上記説明では、ピン１０はカメラ５とフラッシュライト９との間隔の中心位置又はカメラ５とフラッシュライト９とを結ぶ線上に設けられ、プレート１１ａは円形であるが、必ずしもその必要はなく、ピン１０がカメラ５とフラッシュライト９とを結ぶ線の外側にあってもよい。この場合は、プレート１１ａは円形でなく扇形でよい。プレート１１ａが扇形の場合の標準レンズ２，望遠レンズ３，フラッシュライト用レンズ１２，１３の配置例を図８（ａ）及び（ｂ）に示す。図８（ａ）はレンズ２，３とレンズ１２，１３が同心円周上に配置され、図８（ｂ）はレンズ２，３とレンズ１２，１３が同一円周上に配置されている。
【００１０】
上記実施の形態１及び２によれば、暗い場所で撮影する時、フラッシュライトの光が届かない場合や一部分にしか当たらず、周りが暗くなってしまうといったフラッシュライトが充分機能していないといった問題点が解消される。
【００１１】
なお、上記実施の形態１及び２は、携帯機器として携帯電話機に実施した場合について説明したが、携帯用ラジオや携帯用カセットプレーヤーなどの携帯機器にカメラ及びフラッシュライトを装着したものに実施しても同様の効果が得られる。
また、上記実施の形態１及び２は、光源がフラッシュライトの場合について説明したが、撮影時に常時点灯する照明型ライトであっても同様に実施でき、同様の効果が得られる。
【００１２】
【発明の効果】
この発明は以上説明したとおり、被写体画像を撮像部に導光するカメラレンズと、光源の光を被写体へ投光するライトレンズとを有する携帯機器であって、選択的に撮像位置に位置決めされる屈折率の異なる複数のカメラレンズと、選択的に投光位置に位置決めされる屈折率の異なる複数のライトレンズとを備え、複数のカメラレンズが選択的に撮像位置に位置決めされる操作に連動して複数のライトレンズが選択的に投光位置に位置決めされるものであるから、光源使用時、光源の光が被写体に対して充分機能した携帯機器を得ることができるという効果を有する。
【図面の簡単な説明】
【図１】実施の形態１による携帯電話機の正面からの斜視図である。
【図２】実施の形態１による携帯電話機の背面からの斜視図である。
【図３】図２のＡ−Ａ線による断面図である。
【図４】図２のＢ−Ｂ線による断面図である。
【図５】プレートの他の例を説明する説明図である。
【図６】実施の形態２による携帯電話機の背面からの斜視図である。
【図７】図５のＤ−Ｄ線による断面図である。
【図８】プレートの他の例を説明する説明図である。
【符号の説明】
１  携帯電話機、２  標準レンズ、３望遠レンズ、４  広角レンズ、５  カメラ、９  フラッシュライト、１０  ピン、１１，１１ａ  プレート、１２，１３，１４  フラッシュライト用レンズ、１６  シャッター、１７  表示部。
【図１】
2004333736.tif 000003
【図２】
2004333736.tif 000004
【図３】
2004333736.tif 000005
【図４】
2004333736.tif 000006
【図５】
2004333736.tif 000007
【図６】
2004333736.tif 000008
【図７】
2004333736.tif 000009
【図８】
2004333736.tif 000010